(57)【要約】【課題】被記録媒体を搬送する搬送ベルトの洗浄性を向上する。【解決手段】被記録媒体Ｐを支持して搬送する搬送ベルト２と、前記被記録媒体Ｐにインクを吐出する記録ヘッド６と、前記搬送ベルト２の洗浄部１０と、を備え、前記搬送ベルト２による前記被記録媒体Ｐの搬送中に、前記洗浄部１０により前記搬送ベルト２を洗浄する第１洗浄モードと、前記搬送ベルト２による前記被記録媒体Ｐの搬送中以外に、前記洗浄部１０により前記搬送ベルト２を洗浄する第２洗浄モードと、を有する。【選択図】図１
2015071269.tif 000002
【特許請求の範囲】
【請求項１】
被記録媒体を搬送する搬送ベルトと、
前記被記録媒体にインクを吐出する記録ヘッドと、
前記搬送ベルトの洗浄部と、を備え、
前記搬送ベルトによる前記被記録媒体の搬送中に、前記洗浄部により前記搬送ベルトを洗浄する第１洗浄モードと、
前記搬送ベルトによる前記被記録媒体の搬送中以外に、前記洗浄部により前記搬送ベルトを洗浄する第２洗浄モードと、を有することを特徴とする記録装置。
【請求項２】
請求項１に記載の記録装置において、
前記洗浄部は、前記搬送ベルトに接触する接触部と、前記搬送ベルトに付いた洗浄液を除去する除去部と、を備え、
前記第２洗浄モードは、前記搬送ベルトを間欠移動させつつ前記搬送ベルトを洗浄して前記搬送ベルトの洗浄を終了することを特徴とする記録装置。
【請求項３】
請求項２に記載の記録装置において、
前記搬送ベルトを間欠移動させつつ前記記録ヘッドにより記録する記録モードを複数有し、
前記第２洗浄モードにおける前記搬送ベルトの間欠移動動作は、前記複数の記録モードのうちのいずれかにおける前記搬送ベルトの間欠移動動作であることを特徴とする記録装置。
【請求項４】
請求項３に記載の記録装置において、
前記第２洗浄モードにおける前記搬送ベルトの間欠移動動作は、前記複数の記録モードのうちの単位時間当たりの前記搬送ベルトの移動量が最大となる記録モードにおける前記搬送ベルトの間欠移動動作であることを特徴とする記録装置。
【請求項５】
請求項２から４のいずれか１項に記載の記録装置において、
前記搬送ベルトは、複数の回転体に張架された無端ベルトであって、
前記第２洗浄モードは、前記搬送ベルトを１周以上間欠移動させつつ前記搬送ベルトを洗浄して前記搬送ベルトの洗浄を終了することを特徴とする記録装置。
【請求項６】
請求項２から５のいずれか１項に記載の記録装置において、
前記搬送ベルトに付いた前記洗浄液の除去を補助する布ローラーを備え、
前記第２洗浄モードにおいて、前記搬送ベルトを間欠移動させつつ前記搬送ベルトを洗浄する前に前記搬送ベルトを連続移動させつつ前記搬送ベルトを洗浄する場合、少なくとも前記搬送ベルトを連続移動させつつ前記搬送ベルトを洗浄する際には、前記布ローラーを前記搬送ベルトから離間することを特徴とする記録装置。
【請求項７】
請求項２から６のいずれか１項に記載の記録装置において、
前記第２洗浄モードは、前記搬送ベルトの洗浄の終了後に前記搬送ベルトを規定量移動させることを特徴とする記録装置。
【請求項８】
請求項７に記載の記録装置において、
前記第２洗浄モードは、前記搬送ベルトの洗浄の終了後に、前記搬送ベルトに前記除去部を接触させた状態で、前記接触部と前記除去部との距離以上移動させることを特徴とする記録装置。
【請求項９】
被記録媒体を搬送する搬送ベルトと、
前記被記録媒体にインクを吐出する記録ヘッドと、
前記搬送ベルトの洗浄部と、を備える記録装置における前記搬送ベルトの洗浄方法であって、
前記搬送ベルトによる前記被記録媒体の搬送中に、前記洗浄部により前記搬送ベルトを洗浄する第１洗浄工程と、
前記搬送ベルトによる前記被記録媒体の搬送以外に、前記洗浄部により前記搬送ベルトを洗浄する第２洗浄工程と、を有することを特徴とする搬送ベルトの洗浄方法。
【発明の詳細な説明】
【技術分野】
【０００１】
本発明は、記録装置及び被記録媒体を搬送する搬送ベルトの洗浄方法に関する。
【背景技術】
【０００２】
従来から、被記録媒体を搬送する搬送ベルトを備える記録装置が使用されている。このうち、前記搬送ベルトを洗浄可能な記録装置が開示されている。  
例えば、特許文献１には、ワイパーと吸液材とにより搬送ベルトを洗浄可能な記録装置が開示されている。
【先行技術文献】
【特許文献】
【０００３】
【特許文献１】特開平３−２２７６４８号公報
【発明の概要】
【発明が解決しようとする課題】
【０００４】
しかしながら、従来の被記録媒体を搬送する搬送ベルトを備える記録装置では、搬送ベルトの洗浄が不十分となる場合が多かった。  
このため、本発明者らが鋭意検討した結果、記録動作中に搬送ベルトを洗浄する洗浄モードと、記録動作中以外に搬送ベルトを洗浄する洗浄モードと、を有することにより搬送ベルトの洗浄が不十分となることを抑制できることを見出した。  
なお、特許文献１には、記録動作中の搬送ベルトの洗浄モードと、記録動作中以外の搬送ベルトの洗浄モードと、の両方を有するということに関する記載はない。
【０００５】
そこで、本発明の目的は、被記録媒体を搬送する搬送ベルトの洗浄性を向上することである。
【課題を解決するための手段】
【０００６】
上記課題を解決するための本発明の第１の態様の記録装置は、被記録媒体を搬送する搬送ベルトと、前記被記録媒体にインクを吐出する記録ヘッドと、前記搬送ベルトの洗浄部と、を備え、前記搬送ベルトによる前記被記録媒体の搬送中に、前記洗浄部により前記搬送ベルトを洗浄する第１洗浄モードと、前記搬送ベルトによる前記被記録媒体の搬送中以外に、前記洗浄部により前記搬送ベルトを洗浄する第２洗浄モードと、を有することを特徴とする。
【０００７】
本態様によれば、前記搬送ベルトによる前記被記録媒体の搬送中に、前記洗浄部により前記搬送ベルトを洗浄する第１洗浄モードと、前記搬送ベルトによる前記被記録媒体の搬送中以外に、前記洗浄部により前記搬送ベルトを洗浄する第２洗浄モードと、を有する。すなわち、通常の記録動作中に第１洗浄モードで前記搬送ベルトを洗浄しつつ、第２洗浄モードとして前記第１洗浄モードよりも前記搬送ベルトの洗浄性の高い洗浄モードを設定しこれを必要に応じて実行することができる。このため、前記搬送ベルトの洗浄性を向上することができる。
【０００８】
本発明の第２の態様の記録装置は、前記第１の態様において、前記洗浄部は、前記搬送ベルトに接触する接触部と、前記搬送ベルトに付いた洗浄液を除去する除去部と、を備え、前記第２洗浄モードは、前記搬送ベルトを間欠移動させつつ前記搬送ベルトを洗浄して前記搬送ベルトの洗浄を終了することを特徴とする。
【０００９】
本態様によれば、前記洗浄部は、前記搬送ベルトに接触する接触部と、前記搬送ベルトに付いた洗浄液を除去する除去部と、を備える。すなわち、前記洗浄液により前記搬送ベルトを洗浄することにより、前記搬送ベルトの洗浄性を向上することができる。  
一方、洗浄液により搬送ベルトを洗浄すると、該洗浄液が搬送ベルトに残り、被記録媒体を該洗浄液で汚してしまう場合がある。しかしながら、本態様によれば、前記第２洗浄モードは、前記搬送ベルトを間欠移動させつつ前記搬送ベルトを洗浄して前記搬送ベルトの洗浄を終了する。このように、前記搬送ベルトを間欠移動させつつ洗浄を終了することで、前記搬送ベルトを連続移動させつつ洗浄を終了するよりも、前記洗浄液が搬送ベルトに残りづらくなる。このため、前記洗浄液で前記被記録媒体を汚してしまうということを抑制できる。  
なお、前記搬送ベルトを間欠移動させつつ洗浄するだけでなく、前記搬送ベルトを間欠移動させつつ洗浄する前に、前記搬送ベルトを連続移動させて洗浄させることにより、前記搬送ベルトの洗浄時間を短縮することができる。
【００１０】
本発明の第３の態様の記録装置は、前記第２の態様において、前記搬送ベルトを間欠移動させつつ前記記録ヘッドにより記録する記録モードを複数有し、前記第２洗浄モードにおける前記搬送ベルトの間欠移動動作は、前記複数の記録モードのうちのいずれかにおける前記搬送ベルトの間欠移動動作であることを特徴とする。
【００１１】
本態様によれば、前記第２洗浄モードにおける前記搬送ベルトの間欠移動動作は、前記複数の記録モードのうちのいずれかにおける前記搬送ベルトの間欠移動動作である。このため、前記複数の記録モードとは別に前記搬送ベルトの間欠移動動作を設けることを省略できる。
【００１２】
本発明の第４の態様の記録装置は、前記第３の態様において、前記第２洗浄モードにおける前記搬送ベルトの間欠移動動作は、前記複数の記録モードのうちの単位時間当たりの前記搬送ベルトの移動量が最大となる記録モードにおける前記搬送ベルトの間欠移動動作であることを特徴とする。
【００１３】
本態様によれば、前記第２洗浄モードにおける前記搬送ベルトの間欠移動動作は、前記複数の記録モードのうちの単位時間当たりの前記搬送ベルトの移動量が最大となる記録モードにおける前記搬送ベルトの間欠移動動作である。このため、前記搬送ベルトの洗浄時間が長くなることを抑制することができる。
【００１４】
本発明の第５の態様の記録装置は、前記第２から第４のいずれか１つの態様において、前記搬送ベルトは、複数の回転体に張架された無端ベルトであって、前記第２洗浄モードは、前記搬送ベルトを１周以上間欠移動させつつ前記搬送ベルトを洗浄して前記搬送ベルトの洗浄を終了することを特徴とする。
【００１５】
ここで、「前記第２洗浄モードは、前記搬送ベルトを１周以上間欠移動させつつ前記搬送ベルトを洗浄して前記搬送ベルトの洗浄を終了する」とは、前記搬送ベルトを１周以上間欠移動させつつ前記搬送ベルトを洗浄する前に、前記搬送ベルトを連続移動させつつ前記搬送ベルトを洗浄する場合と、このような前記搬送ベルトの連続移動をさせることなく前記搬送ベルトを１周以上間欠移動させつつ前記搬送ベルトを洗浄する場合と、の両方を含む意味である。  
本態様によれば、前記第２洗浄モードは、前記搬送ベルトを１周以上間欠移動させつつ前記搬送ベルトを洗浄して前記搬送ベルトの洗浄を終了する。このため、前記搬送ベルト全体にわたって前記洗浄液が残ることを抑制でき、前記洗浄液で前記被記録媒体を汚してしまうということを効果的に抑制できる。
【００１６】
本発明の第６の態様の記録装置は、前記第２から第５のいずれか１つの態様において、前記搬送ベルトに付いた前記洗浄液の除去を補助する布ローラーを備え、前記第２洗浄モードにおいて、前記搬送ベルトを間欠移動させつつ前記搬送ベルトを洗浄する前に前記搬送ベルトを連続移動させつつ前記搬送ベルトを洗浄する場合、少なくとも前記搬送ベルトを連続移動させつつ前記搬送ベルトを洗浄する際には、前記布ローラーを前記搬送ベルトから離間することを特徴とする。
【００１７】
ここで、「布ローラー」とは、前記搬送ベルトとの接触部に布が用いられているローラーを意味する。  
前記搬送ベルトを連続移動させつつ前記搬送ベルトを洗浄する際に、前記布ローラーを前記搬送ベルトに接触させていると、前記洗浄液で前記布ローラーが濡れすぎて前記洗浄液の除去効果が低下する場合がある。しかしながら、本態様によれば、前記第２洗浄モードにおいて、前記搬送ベルトを間欠移動させつつ前記搬送ベルトを洗浄する前に前記搬送ベルトを連続移動させつつ前記搬送ベルトを洗浄する場合、少なくとも前記搬送ベルトを連続移動させつつ前記搬送ベルトを洗浄する際には、前記布ローラーを前記搬送ベルトから離間する。このため、前記洗浄液で前記布ローラーが濡れすぎて前記洗浄液の除去効果が低下することを抑制できる。
【００１８】
本発明の第７の態様の記録装置は、前記第２から第６のいずれか１つの態様において、前記第２洗浄モードは、前記搬送ベルトの洗浄の終了後に前記搬送ベルトを規定量移動させることを特徴とする。
【００１９】
前記第２洗浄モードにおける前記搬送ベルトの洗浄の終了時においては、該終了時における前記搬送ベルトの前記接触部と前記除去部との間に、前記洗浄液が残っている場合がある。しかしながら、本態様によれば、前記第２洗浄モードは、前記搬送ベルトの洗浄の終了後に前記搬送ベルトを規定量移動させる。このため、前記搬送ベルトに前記洗浄液が残っていても、前記洗浄液が残っている部分をユーザーが拭き取り作業をし易い位置に移動させることが可能になる。
【００２０】
本発明の第８の態様の記録装置は、前記第７の態様において、前記第２洗浄モードは、前記搬送ベルトの洗浄の終了後に、前記搬送ベルトに前記除去部を接触させた状態で、前記接触部と前記除去部との距離以上移動させることを特徴とする。
【００２１】
本態様によれば、前記第２洗浄モードは、前記搬送ベルトの洗浄の終了後に、前記搬送ベルトに前記除去部を接触させた状態で、前記接触部と前記除去部との距離以上移動させる。このため、前記搬送ベルトの洗浄の終了時に前記搬送ベルトの前記接触部と前記除去部との間に前記洗浄液が残っていても、前記接触部と前記除去部との間の部分全てについて前記除去部を通過させることにより、前記除去部で前記洗浄液を除去することができる。
【００２２】
本発明の第９の態様の搬送ベルトの洗浄方法は、被記録媒体を搬送する搬送ベルトと、前記被記録媒体にインクを吐出する記録ヘッドと、前記搬送ベルトの洗浄部と、を備える記録装置における前記搬送ベルトの洗浄方法であって、前記搬送ベルトによる前記被記録媒体の搬送中に、前記洗浄部により前記搬送ベルトを洗浄する第１洗浄工程と、前記搬送ベルトによる前記被記録媒体の搬送中以外に、前記洗浄部により前記搬送ベルトを洗浄する第２洗浄工程と、を有することを特徴とする。
【００２３】
本態様によれば、前記搬送ベルトによる前記被記録媒体の搬送中に、前記洗浄部により前記搬送ベルトを洗浄する第１洗浄工程と、前記搬送ベルトによる前記被記録媒体の搬送中以外に、前記洗浄部により前記搬送ベルトを洗浄する第２洗浄工程と、を有する。すなわち、通常の記録動作中に第１洗浄工程で前記搬送ベルトを洗浄しつつ、第２洗浄工程として前記第１洗浄工程よりも前記搬送ベルトの洗浄性の高い洗浄工程を設定しこれを必要に応じて実行することができる。このため、前記搬送ベルトの洗浄性を向上することができる。
【図面の簡単な説明】
【００２４】
【図１】本発明の一実施例に係る記録装置を表す概略側面図。
【図２】本発明の一実施例に係る記録装置の要部の制御構成を表すブロック図。
【図３】本発明の一実施例に係る搬送ベルトの洗浄シーケンスを実行する際の設定を行うＧＵＩの表示画面を表す図。
【図４】本発明の一実施例に係る搬送ベルトの洗浄シーケンスを表すグラフ。
【発明を実施するための形態】
【００２５】
以下に、本発明の一実施形態に係る記録装置について、添付図面を参照して詳細に説明する。
【００２６】
図１は、本発明の一実施例に係る記録装置１を表す概略側面図である。  
本実施例の記録装置１は、回転方向Ｃに回転する駆動ローラー３と従動ローラー４に張架され、被記録媒体Ｐを支持して搬送方向Ａに搬送する搬送ベルト２を備えている。本実施例の記録装置１は、複数の回転体として駆動ローラー３と従動ローラー４の２つのローラーを備えているが、３つ以上のローラーを備えていてもよく、そのうち複数が駆動ローラーであってもよい。
【００２７】
本実施例の搬送ベルト２は、駆動ローラー３が回転方向Ｃに回転することにより、方向Ｄに移動し、被記録媒体Ｐを搬送方向Ａに搬送する。  
なお、本実施例の搬送ベルト２は、被記録媒体Ｐを支持する面に、該被記録媒体Ｐを剥離可能に接着して保持する、粘着剤が塗られた粘着性ベルトである。ただし、このような粘着性ベルトに限定されず、被記録媒体Ｐを静電吸着して保持する搬送ベルトであってもよい。
【００２８】
また、搬送ベルト２による被記録媒体Ｐの搬送経路には記録ヘッド６が備えられている。記録装置１は、キャリッジ５を介して搬送方向Ａと交差する方向Ｂに記録ヘッド６を往復移動させながら、記録ヘッド６のインク吐出面Ｆから被記録媒体にインクを吐出させて所望の画像を形成する。  
なお、本実施例の記録装置１は、往復移動しながら記録する記録ヘッド６を備えているが、インクを吐出するノズルを搬送方向Ａと交差する方向に複数設けた所謂ラインヘッドを備える記録装置でもよい。  
ここで、「ラインヘッド」とは、被記録媒体Ｐの搬送方向Ａと交差する方向Ｂに形成されたノズルの領域が、被記録媒体Ｐの方向Ｂ全体をカバー可能なように設けられ、記録ヘッド又は被記録媒体Ｐの一方を固定し他方を移動させて画像を形成する記録装置に用いられる記録ヘッドである。なお、ラインヘッドの方向Ｂのノズルの領域は、記録装置が対応している全ての被記録媒体Ｐの該方向Ｂ全体をカバー可能でなくてもよい。
【００２９】
本実施例の記録装置１では、被記録媒体Ｐは、所定の範囲内で搬送ベルト２から剥離され、所定の位置に固定された従動ローラー７を介して、巻取部８により巻き取られる。なお、巻取部８は、被記録媒体Ｐを巻き取る際、回転方向Ｃに被記録媒体Ｐを回転させる。
【００３０】
被記録媒体Ｐの搬送経路であって、被記録媒体Ｐが搬送ベルト２から剥離される位置と従動ローラー７が設けられた位置との間には、被記録媒体Ｐの搬送ベルト２に対する剥離位置を検出するセンサー９が設けられている。  
ここで、センサー９は、被記録媒体Ｐの面と交差する方向から光を照射し、被記録媒体Ｐの前記面からの反射光により、搬送ベルト２に対して被記録媒体Ｐが剥離したことを検出する光学センサーである。  
このため、例えば、照射部と対向する側に反射部を設け該反射部からの反射光を受光する構成の光学センサーを用いて、被記録媒体Ｐの面に沿う方向から光を照射し、該反射光が被記録媒体Ｐで遮られたことを検出することにより、搬送ベルト２に対して被記録媒体Ｐが剥離したことを検出するという従来の方法よりも検出精度が高い。このような従来の方法は、被記録媒体Ｐの面と交差する方向の長さ（厚さ）は短いため、光学センサーでの検出タイミングと該反射光が被記録媒体Ｐで遮られたタイミングとがずれることにより、検出ミスをすることがあるためである。
【００３１】
また、本実施例の記録装置１は、搬送ベルト２を洗浄するための洗浄部としての洗浄ユニット１０を備えている。洗浄ユニット１０は、洗浄液タンク１２に入れられた洗浄液１４と搬送ベルト２に接触する接触部である洗浄ブラシ１１と、洗浄ブラシ１１が搬送ベルト２に接触することによって搬送ベルト２に付いた洗浄液１４を除去する除去部としてのワイパー１３ａ及びワイパー１３ｂと、を備えている。  
なお、本実施例における洗浄液１４は水であるが、水に限定されず、例えば、界面活性剤等の洗剤成分を含有する洗浄液であってもよい。また、搬送ベルトに付着した洗浄液とは、記録ヘッド６により吐出され、搬送ベルト２に付着したインクと洗浄液１４とが洗浄ブラシ１１によって混合された状態の液体も含む。
【００３２】
ここで、洗浄ブラシ１１は、洗浄ユニット駆動部１７（図２参照）によって、方向Ｅに移動可能である。このため、本実施例の記録装置１は、洗浄ブラシ１１を、搬送ベルト２に対して接触する位置から搬送ベルト２に対して非接触となる位置まで移動させることができる。  
さらには、本実施例の記録装置１は、洗浄ブラシ１１を回転方向Ｃに回転させた状態で、洗浄ブラシ１１と搬送ベルト２とを接触させること及び非接触とさせることができるだけでなく、洗浄ブラシ１１の回転駆動を停止させた状態で、洗浄ブラシ１１と搬送ベルト２とを接触させること及び非接触とさせることができる。  
なお、洗浄ブラシ１１を回転方向Ｃに回転させた状態で、洗浄ブラシ１１と搬送ベルト２とを接触させると、洗浄液１４は洗浄ブラシ１１を介して洗浄液タンク１２から搬送ベルト２に移動しやすい。一方、洗浄ブラシ１１の回転駆動を停止させた状態で、洗浄ブラシ１１と搬送ベルト２とを接触させても、洗浄液１４は洗浄液タンク１２から搬送ベルト２に移動しにくい。
【００３３】
また、本実施例の記録装置１は、搬送ベルト２を挟んで従動ローラー４と対向する位置に、搬送ベルト２に付いた洗浄液１４の除去を補助する布ローラーとしてのタオルローラー１５を備えている。  
ここで、「布ローラー」とは、搬送ベルト２との接触部に布が用いられているローラーを意味する。  
タオルローラー１５は、回転方向Ｃと逆方向に従動回転可能であるとともに、タオルローラー駆動部２２（図２参照）によって方向Ｇに移動可能である。このため、本実施例の記録装置１は、タオルローラー１５を、搬送ベルト２に対して接触する位置から搬送ベルト２に対して非接触となる位置まで移動させることができる。  
なお、本実施例のタオルローラー１５は、搬送ベルト２の方向Ｄへの移動に伴って、回転方向Ｃと逆方向に従動回転可能な構成となっているが、このような構成に限定されず、例えば、回転方向Ｃに回転駆動する構成としてもよい。
【００３４】
次に、本実施例の記録装置１の要部の制御構成について説明する。  
図２は、本実施例の記録装置１の要部の制御構成を表すブロック図である。  
本実施例の記録装置１は、記録装置１の全体の制御を司るＣＰＵ、各種洗浄モード及び各種記録モードなどのシーケンスやＣＰＵが実行する各種制御プログラム等を格納したＲＯＭ、データを一時的に格納可能なＲＡＭ、等を備えるコントローラー１６を備えている。
【００３５】
コントローラー１６は、ユーザーの指示を入力可能なＧＵＩ（グラフィカルユーザーインターフェース）２１を備えるＰＣ２０と接続されている。また、コントローラー１６は、洗浄ブラシ１１を方向Ｅに移動させる洗浄ユニット駆動部１７、洗浄ブラシ１１を回転方向Ｃに回転駆動させる洗浄ブラシ駆動部１８、駆動ローラー３を回転方向Ｃに回転駆動させる駆動ローラー駆動部１９、タオルローラー１５を方向Ｇに移動させるタオルローラー駆動部２２、と接続されている。  
すなわち、コントローラー１６は、ＰＣ２０から入力されたユーザーの指示に従い、洗浄ユニット駆動部１７、駆動部１８、駆動ローラー駆動部１９、タオルローラー駆動部２２を介して、洗浄ブラシ１１、駆動ローラー３、タオルローラー１５を制御する。
【００３６】
次に、本実施例の記録装置１が実行する搬送ベルト２の洗浄シーケンスについて説明する。  
本実施例の記録装置１は、記録ヘッド６による記録動作中、言い換えると搬送ベルトにより被記録媒体Ｐの搬送が行われている最中に洗浄ユニット１０により搬送ベルト２を洗浄する第１洗浄モードと、記録ヘッド６による記録動作中以外、言い換えると搬送ベルトにより被記録媒体Ｐの搬送が行われていない状態で洗浄ユニット１０により搬送ベルト２を洗浄する第２洗浄モードと、を有する。  
補足すると、本実施例の記録装置１において、第１洗浄モードは記録動作中に自動的に行われる洗浄モードであり、第２洗浄モードはユーザーの実行指示によって行われる所謂メンテナンスモードとしての洗浄モードである。ただし、本実施例の記録装置１は、記録動作中に第１洗浄モードを実行しないようにすることも可能な構成となっている。  
なお、第１洗浄モード及び第２洗浄モードとも、搬送ベルト２を方向Ｄに移動させつつ洗浄ブラシ１１を搬送ベルト２に接触させて回転方向Ｃに回転駆動させて、搬送ベルト２を洗浄する洗浄モードである。
【００３７】
上記のように、本実施例の記録装置１は、被記録媒体Ｐを搬送する搬送ベルト２と、被記録媒体Ｐにインクを吐出する記録ヘッド６と、搬送ベルト２の洗浄ユニット１０と、を備えている。そして、記録ヘッド６による記録動作中に、すなわち搬送ベルト２により被記録媒体Ｐの搬送が行われている最中に洗浄ユニット１０により搬送ベルト２を洗浄する第１洗浄モードと、記録ヘッド６による記録動作中以外に、すなわち搬送ベルト２により被記録媒体Ｐの搬送が行われていない状態で洗浄ユニット１０により前記搬送ベルトを洗浄する第２洗浄モードと、を有している。  
本実施例の記録装置１は、このような構成により、通常の記録動作中に第１洗浄モードで搬送ベルト２を洗浄しつつ、第２洗浄モードとして前記第１洗浄モードよりも搬送ベルト２の洗浄性の高い洗浄モードを設定しこれを必要に応じて実行することができる。このため、搬送ベルト２の洗浄性を向上することができる。
【００３８】
また、本実施例の記録装置１の搬送ベルト２の洗浄方法の観点から、別の表現をすると、本実施例の洗浄方法は、被記録媒体Ｐを支持して搬送する搬送ベルト２と、被記録媒体Ｐにインクを吐出する記録ヘッド６と、搬送ベルト２の洗浄ユニット１０と、を備える記録装置１における搬送ベルト２の洗浄方法である。そして、記録ヘッド６による記録動作中に、洗浄ユニット１０により搬送ベルト２を洗浄する第１洗浄工程と、記録ヘッド６による記録動作中以外に、洗浄ユニット１０により搬送ベルト２を洗浄する第２洗浄工程と、を有している。  
すなわち、本実施例の洗浄方法は、通常の記録動作中に第１洗浄工程で搬送ベルト２を洗浄しつつ、第２洗浄工程として前記第１洗浄工程よりも搬送ベルト２の洗浄性の高い洗浄工程を設定しこれを必要に応じて実行することができる。このため、搬送ベルト２の洗浄性を向上することができる。
【００３９】
また、本実施例の記録装置１は、前記第２洗浄モードにおける搬送ベルト２の周回数を設定可能である。  
図３は、本実施例の記録装置１において搬送ベルト２の洗浄シーケンスを実行する際の設定を行うＧＵＩ２１の表示画面を表す図である。  
ユーザーは、ＰＣ２０のＧＵＩ２１に表示されるウィンドウ２３のプルダウンタブ２４により、第２洗浄モードにおいて搬送ベルト２の周回数ｎを設定することができる。そして、ユーザーは、プルダウンタブ２４により第２洗浄モードにおける搬送ベルト２の周回数ｎを設定した後、開始タブ２５を押すことにより、記録装置１に第２洗浄モードを実行させることができる。なお、ここで、ｎは自然数である。
【００４０】
ここで、本実施例の記録装置１における第２洗浄モードは、搬送ベルト２の最後の１周について、搬送ベルト２を間欠移動させつつ搬送ベルト２を洗浄して該搬送ベルト２の洗浄を終了する洗浄モードである。  
以下に、図４を用いて第２洗浄モードについてさらに詳細に説明する。  
図４（Ａ）は、本実施例の記録装置１が第２洗浄モードにおいて実行する搬送ベルト２の洗浄シーケンスを表すグラフである。  
なお、図４において横軸は時間の流れを表しており、図４は、各時間における搬送ベルトの移動及び停止、洗浄ユニット１０における洗浄ブラシ１１の搬送ベルトに対する位置、洗浄ブラシ１１の駆動及び停止を表している。
【００４１】
図４（Ａ）で表されるように、ユーザーがプルダウンタブ２４により第２洗浄モードにおける搬送ベルト２の周回数ｎを設定した後、開始タブ２５を押すことにより第２洗浄モードの実行が開始されると、停止していた洗浄ブラシ１１が駆動するとともに、洗浄ブラシ１１が搬送ベルト２と非接触の位置から搬送ベルト２と接触する位置に移動する。別の表現をすると、洗浄ユニット１０が非接触位置から接触位置に移動する。
【００４２】
洗浄ユニット１０が非接触位置から接触位置に移動すると、洗浄ブラシ１１と搬送ベルト２とが接触した状態であって、洗浄ブラシ１１が回転方向Ｃに駆動した状態で、搬送ベルト２はｎ−１周分連続的に移動（連続移動）する。  
そして、図４（Ａ）では簡略化されて表されているが、搬送ベルト２は、ｎ−１周分連続移動した後、最後の１周分は駆動と停止を繰り返して複数回間欠的に移動（間欠移動）する。なお、本実施例の記録装置１において、この間欠移動の際の搬送ベルト２の最高移動速度は２００ｍｍ／ｓ、１回の間欠移動で移動する搬送ベルト２の移動距離は１２．７ｍｍ、この間欠移動の際の搬送ベルト２の停止時間は２００ｍｓである。  
そして、搬送ベルト２が最後の１周分間欠移動した後、洗浄ユニット１０が接触位置から非接触位置に移動するとともに、洗浄ブラシ１１の回転駆動が停止し、第２洗浄モードは終了する。  
なお、ユーザーが搬送ベルト２の周回数ｎとして１回の周回数を設定した場合は、搬送ベルト２は該１回の周回を連続移動することなく間欠移動する。
【００４３】
一方、図４（Ｂ）は、本実施例とは別の実施例であり、搬送ベルト２をｎ周分全て連続移動させつつ洗浄する場合の搬送ベルト２の洗浄シーケンスを表すグラフである。  
ここで、搬送ベルト２を間欠移動させつつ洗浄する場合、搬送ベルト２を連続移動させつつ洗浄する場合よりも、洗浄液１４が搬送ベルト２に残りづらくなる。  
このため、図４（Ａ）で表される洗浄シーケンスを行う本実施例の記録装置１は、図４（Ｂ）で表される洗浄シーケンスを行う記録装置と比べて、洗浄液１４で被記録媒体Ｐを汚してしまうということを抑制している。
【００４４】
また、上記のように、本実施例の記録装置１において、洗浄ユニット１０は、洗浄液１４を付けて搬送ベルトに接触する洗浄ブラシ１１と、搬送ベルト２に付いた洗浄液１４を除去するワイパー１３ａ及びワイパー１３ｂと、を備えている。そして、前記第２洗浄モードは、搬送ベルト２を間欠移動させつつ搬送ベルト２を洗浄して搬送ベルト２の洗浄を終了する。  
本実施例の記録装置１は、洗浄液１４を付けて搬送ベルト２を洗浄することにより、搬送ベルト２の洗浄性を向上している。  
一方、洗浄液１４を付けて搬送ベルト２を洗浄すると、該洗浄液１４が搬送ベルト２に残り、被記録媒体Ｐを該洗浄液１４で汚してしまう場合がある。しかしながら、本実施例の記録装置１では、前記第２洗浄モードは、搬送ベルト２を間欠移動させつつ搬送ベルト２を洗浄して搬送ベルト２の洗浄を終了する。このように、搬送ベルト２を間欠移動させつつ洗浄を終了することで、搬送ベルト２を連続移動させつつ洗浄を終了するよりも、洗浄液１４が搬送ベルトに残りづらくなる。このため、洗浄液１４で被記録媒体Ｐを汚してしまうということを抑制している。  
また、前記第２洗浄モードにおいて、搬送ベルト２を間欠移動させつつ洗浄するだけでなく、搬送ベルト２を間欠移動させつつ洗浄する前に、搬送ベルト２を連続移動させて洗浄させている。こうして、搬送ベルト２を間欠移動させつつ洗浄するだけの洗浄モードよりも搬送ベルト２の洗浄時間を短縮している。
【００４５】
ここで、本実施例の記録装置１は、搬送ベルト２を間欠移動させつつ記録ヘッド６により記録する記録モードを複数有していて、記録する画像の品質や記録速度によっていずれかの記録モードによって被記録媒体への記録をおこなう。  
そして、本実施例の記録装置１では、前記第２洗浄モードにおける搬送ベルト２の間欠移動動作は、前記複数の記録モードのうちの単位時間当たりの搬送ベルト２の移動量が最大となる記録モードにおける搬送ベルト２の間欠移動動作である。  
このため、前記複数の記録モードとは別に搬送ベルト２の間欠移動動作を設けることを省略しているとともに、搬送ベルト２の洗浄時間が長くなることを抑制している。
【００４６】
このように、本実施例の記録装置１では、前記第２洗浄モードにおける搬送ベルト２の間欠移動動作は、前記複数の記録モードのうちの単位時間当たりの搬送ベルト２の移動量が最大となる記録モードとしている。  
しかしながら、前記第２洗浄モードにおける搬送ベルト２の間欠移動動作が、前記複数の記録モードのうちのいずれかにおける搬送ベルト２の間欠移動動作であれば、単位時間当たりの搬送ベルト２の移動量が最大のものでなくても、前記複数の記録モードとは別に搬送ベルト２の間欠移動動作を設けることを省略できるというメリットを有する。
【００４７】
また、上記のように、本実施例の記録装置１では、搬送ベルト２は、複数の回転体（駆動ローラー３及び従動ローラー４）に張架された無端ベルトである。  
そして、前記第２洗浄モードは、搬送ベルト２を１周間欠移動させつつ搬送ベルト２を洗浄して搬送ベルト２の洗浄を終了する。  
このように、前記第２洗浄モードは、搬送ベルト２を１周以上間欠移動させつつ搬送ベルト２を洗浄して搬送ベルト２の洗浄を終了するモードであるのが好ましい。  
ここで、「前記第２洗浄モードは、搬送ベルト２を１周以上間欠移動させつつ搬送ベルト２を洗浄して搬送ベルト２の洗浄を終了する」とは、搬送ベルト２を１周以上間欠移動させつつ搬送ベルト２を洗浄する前に、搬送ベルト２を連続移動させつつ搬送ベルト２を洗浄する本実施例のような場合と、このような搬送ベルト２の連続移動をさせることなく搬送ベルト２を１周以上間欠移動させつつ搬送ベルト２を洗浄する場合と、の両方を含む意味である。  
前記第２洗浄モードにおいて、搬送ベルト２を１周以上間欠移動させつつ搬送ベルト２を洗浄して搬送ベルト２の洗浄を終了することで、搬送ベルト２全体にわたって洗浄液１４が残ることを抑制でき、洗浄液１４で被記録媒体Ｐを汚してしまうということを効果的に抑制できる。
【００４８】
また、上記のように、本実施例の記録装置１は、搬送ベルト２に付いた洗浄液１４の除去を補助するタオルローラー１５を備えている。  
ここで、本実施例の記録装置１は、前記第２洗浄モードにおいて、搬送ベルト２を間欠移動させつつ搬送ベルト２を洗浄する前に搬送ベルト２を連続移動させつつ搬送ベルト２を洗浄する場合、少なくとも搬送ベルト２を連続移動させつつ搬送ベルト２を洗浄する際には、タオルローラー１５を搬送ベルト２から離間させる。  
搬送ベルト２を連続移動させつつ搬送ベルト２を洗浄する際に、タオルローラー１５を搬送ベルト２に接触させていると、洗浄液１４でタオルローラー１５が濡れすぎて洗浄液１４の除去効果が低下する場合がある。しかしながら、本実施例の記録装置１は、洗浄液１４でタオルローラー１５が濡れすぎて洗浄液１４の除去効果が低下することを抑制している。
【００４９】
また、本実施例の記録装置１は、コントローラー１６の制御により、前記第２洗浄モードにおける搬送ベルト２の洗浄の終了後に、搬送ベルト２を規定量移動させる。  
ここで、本実施例における該規定量は、前記第２洗浄モードにおける搬送ベルト２の洗浄の終了時における搬送ベルト２の洗浄ブラシ１１と先頭側の除去部であるワイパー１３ａとの間の部分が、上向きとなる位置に至るまでの量である。  
前記第２洗浄モードにおける搬送ベルト２の洗浄の終了時においては、該終了時における搬送ベルト２の洗浄ブラシ１１とワイパー１３ａとの間の部分に、洗浄液１４が残っている場合がある。しかしながら、本実施例の記録装置１は、前記第２洗浄モードにおいて、搬送ベルト２の洗浄の終了後に搬送ベルト２を前記規定量移動させる。このため、搬送ベルト２の洗浄ブラシ１１とワイパー１３ａとの間の部分に洗浄液１４が残っていても、該部分が上向きとなる位置に至るまで搬送ベルト２は移動されるので、ユーザーは拭き取り作業をし易い位置で洗浄液１４を拭き取ることができる。
【００５０】
なお、本実施例の記録装置１は、前記規定量として、前記第２洗浄モードにおける搬送ベルト２の洗浄の終了時における搬送ベルト２の洗浄ブラシ１１とワイパー１３ａとの間の部分が、上向きとなる位置に至るまでの量としている。しかしながら、搬送ベルト２にワイパー１３ａ及びワイパー１３ｂを接触させた状態で搬送ベルト２を規定量移動させ、該規定量を、図１で表されるように、洗浄ブラシ１１と先頭側の除去部であるワイパー１３ａとの距離Ｌ以上の量とすることもできる。  
このようにすれば、前記第２洗浄モードにおける搬送ベルト２の洗浄の終了時に、搬送ベルト２の洗浄ブラシ１１とワイパー１３ａとの間に洗浄液１４が残っていても、洗浄ブラシ１１とワイパー１３ａとの間の部分全てについてワイパー１３ａを通過させることにより、ワイパー１３ａで洗浄液１４を除去することができるというメリットがある。
【００５１】
なお、本実施例の記録装置１は、搬送ベルト２を規定量移動させる際、停止した洗浄ブラシ１１に接触させた状態で移動させる。洗浄ブラシ１１が停止していれば、洗浄ブラシ１１から搬送ベルト２に洗浄液１４が移動しにくいだけでなく、搬送ベルト２から洗浄ブラシ１１に洗浄液１４を移動させることができ、搬送ベルト２から洗浄液１４を除去する効果が高くなるというメリットがある。  
上記実施例の記録装置１では洗浄液１４は洗浄ブラシ１１によって搬送ベルト２に付着されて、搬送ベルト２の洗浄を行っていたが、これに限らず、たとえば洗浄液１４をノズル等によって搬送ベルト２に吹き付けながら、洗浄ブラシ１１によって搬送ベルト２を洗浄する形態であってもよい。
【符号の説明】
【００５２】
１  記録装置、２  搬送ベルト、３  駆動ローラー、４  従動ローラー、
５  キャリッジ、６  記録ヘッド、７  従動ローラー、８  巻取部、
９  センサー、１０  洗浄ユニット（洗浄部）、１１  洗浄ブラシ（接触部）、
１２  洗浄液タンク、１３ａ、１３ｂ  ワイパー、１４  洗浄液、
１５  タオルローラー（布ローラー）、１６  コントローラー、
１７  洗浄ユニット駆動部、１８  洗浄ブラシ駆動部、１９  駆動ローラー駆動部、
２０  ＰＣ、２１  ＧＵＩ、２２  タオルローラー駆動部、２３  ウィンドウ、
２４  プルダウンタブ、２５  開始タブ、
Ｌ  洗浄ブラシ１１と先頭側の除去部であるワイパー１３ａとの距離、
Ｐ  被記録媒体
【図１】
2015071269.tif 000003
【図２】
2015071269.tif 000004
【図３】
2015071269.tif 000005
【図４】
2015071269.tif 000006